(57)【要約】      （修正有）【課題】軽量で安全、容易に雪塊を滑落させる屋根の雪下ろし器具を提供する。【解決手段】矩形状の薄い板の両端を曲げて溝形を形成した滑走体１の側部の両先端に橇状の乗り上げ斜面１０を設けた滑走体となし、滑走体の側板上方に、中空の管を連結した矩形状の補強枠２を固着した先端部中央に中空の支持管６の一端を固着し、他端は更に先端に突き出した両側部を補助枠により三角形状に固着した支持管に細長い管状の操作腕５を挿入し、止めピン１２を挿入して双方を固着し、滑走体の後ろ端に、自在に折れ曲がるナイロン等を素材にした細長い帯状の幅の両端に散水用のビニールホースをコ固着した滑落帯の一端を、丸棒状の重錘８を固着し、他端を滑走体の後端に装着した。【選択図】図４
2005273425.tif 000002
【特許請求の範囲】
【請求項１】
矩形状の薄い板の両端を一方向に曲げて、溝形を形成した滑走体の、両側板の上方に中空の管を連結して矩形状にした補強枠を固着し、該、補強枠の先端部の中央から更に先端に向けて、補強枠より大径で管状の支持管を突きだして固着した先端部の両側に、管状の補助枠を三角形状に固着して補強した支持管に、中空で細長い操作腕を挿入、固着して滑走体を操作し、屋根に積もった雪を滑落させる滑走体側部の両端を橇の先端の様に乗り上げ斜面を設ける事を特長にした屋根の雪下ろし器具。
【請求項２】
自在に折れ曲がるナイロン等を素材にした薄く細長い帯状の滑落帯の幅の両側に同素材で略、同長さの中空の管を固着する等により、両端の高い細長い溝を形成した滑落帯の一端を滑走体の一端に装着し、他端に丸棒状の重錘を固着する事を特長にした屋根の雪下ろし器具。
【発明の詳細な説明】
【産業上の利用分野】
【０００１】本発明は、屋根の上に降り積もった雪を除去する屋根の雪下ろし器具である。
【背景技術】
【０００２】従来は高い屋根の上に積もった雪であるため、重量のある除雪機で除去する事は危険であるため、殆どの人が、屋根に上がり、スコップで雪の量を定める跡をつけ、その雪をスコップで掬いあげて地上に投げ下ろす動作を繰り返す作業となり、大変な重労働であるため、屋根の除雪器具の開発を望まれているのが現状である。
【発明が解決しようとするする課題】
【０００３】屋根に積もった雪をそのまま放置すれば、雪の重さで家屋が傾いたり、倒壊する恐れがあるため、どうしても雪下ろしの必要があり、従来のスコップで軒下まで雪を放り投げる雪下ろしでは、重労働であるため、容易な作業に改善するためには、雪の自重と屋根の傾斜を利用して、雪を滑落させて除雪する方法が最適と考えるものであるが、高い屋根の上での操作であるため、小形軽量で、ある事と、屋根の軒下には殆どの家に雨樋が設置されていること、瓦屋根やトタン屋根に雪止め材を取り付けた屋根等も考慮して滑走体を屋根の上で、押したり引いたりの上下に移動して雪下ろしの場合に、瓦や雨樋等の損壊しない雪下ろし器具である事と、前回出願した〔特許願２００１−７９４４５〕では、滑走体に円筒状の袋を連接する方法であったが、この方法は、雪質によって曲りの部分に雪が停滞することがあり、器具を急激に上下に移動して滑落を促進する等の不便を解消する必要がある。
【課題を解決するための手段】
【０００４】本発明は、雪の自重で滑落させて屋根の雪を除雪する方法であるため、降り積もった屋根の雪を、軒下から屋根の傾斜に添って、矩形状の薄い板を溝形に曲げた、滑走体を雪の中に先端を突き刺して滑落する雪の量を定めた後、滑走体に連結した操作腕を上方に引上げる事で滑走体に入った雪は、雪塊の重さで滑走体の中を、滑落するものであるが、屋根には、瓦を敷いた屋根や、雨樋のある屋根の上の雪下ろしでも、瓦等に損傷のない両側板の先端に橇状の乗り上げ斜面を設けた滑走体になすと共に、該、滑走体を小形軽量にして、円滑な滑落を継続するために、雪が滑り易く軽い折れ曲りの自在であるビニールやナイロン等を素材にした帯状に長く、幅の両端に同素材で中空の案内管を固着して溝形を形成せる滑落帯を滑走体の後方にゴム輪状のバンドにより装着する事により小形軽量でも、長い屋根の雪下ろしが可能であり、この構成が最適であると考えるものである。
【作用】
【０００５】本発明は、屋根に積もった雪下ろしに関するものにして、従来は、スコップを手に、左右と前方に突き刺して略、正方形に容積を定めた後にその雪を、スコップで掬って地上まで投げ下ろして除雪をしたものであるが、この作業は大変な重労働であるため本案は、屋根の傾斜を利用して雪の自重により、屋根の上から軒下まで滑落する屋根の雪下ろし器具であり、作用を図面により説明する。矩形状の薄い板の両端を略、直角に曲げて、左右の側板を平行な溝形を形成し、前後を解放した滑走体１、の先端部、下方の一部を切除して、両側板の前方に橇状の乗り上げ斜面１０、を設けた滑走体１、となし、該、滑走体１、の両側板の上方に、中空の管を固着、連接した矩形状の補強枠２、となし、該、補強枠２、の先端部の中央に管状の支持管を更に先端を向けて固着し、側部を三角形状に補助枠１４、を連結した支持管に細長い管状の操作腕５、を挿入してピン孔１８、に止めピン１８、を挿入して、操作腕５、を装着すると共に、自在に折れ曲がるナイロン等を素材にした薄く細長い矩形状の滑落体３、の幅の両端に同素材で、ぼぼ同長さの中空の案内管４、４、を固着して浅く細長い溝形を形成せる滑落帯３、の一端に滑落体３、の幅とほぼ同長さの丸棒状の重錘８、を固着した他端を、滑走体１、の一端にゴム輪状のバンド１３、により着脱自在に装着した屋根の雪下ろし器具を、図１、に示す様に、屋根の上に作業員が上がり、操作腕５、を操作して屋根の積雪の下方の位置に滑走体１、の上方に設けある補助枠１４、を積雪の上面に乗せるように接触させ、滑落する雪の排出量が決定した事で、操作腕５、を屋根の上方に引く事により連結している滑走体１、の先端は、積もり雪を溝形に切断して滑走体１、の中に滑落し、連接した滑走帯３、の上に滑落して滑走帯３、の両側に設けある管状の案内管４、により両側が高く内側が低い溝状になっている滑落帯３、から逸脱する事無く軒下を越えて地上に滑落するものであり、この動作を繰り返して屋根の雪下ろしを継続するものであるが、屋根には、雨漏りを防ぐため下段から瓦９、を積み上げた屋根やトタン葺き屋根で軒下を通行する人に滑落する雪による災害防止のため、雪止めとして、丸太材を横に固定した屋根、又は、軒下に雨樋、１７を設けた屋根等にも適応する様に滑走体１、の両側部を橇状の乗り上げ斜面１０、を設ける事により、瓦９、を敷き詰めた屋根や、雨樋１７、を設置した屋根でも滑走体１、を屋根の上方に引いて瓦９、や雨樋１７、に接触しても、瓦９、に突きささる事がなく、軽量であるため、乗り上げ斜面１０、により、滑走しながら乗り越えるが、瓦は、平面だけではなく円状の滑らかな凹凸があり、両側の乗り上げ斜面１０、だけでは瓦に突き刺さる事もあるため中央に乗り上げ板１１、を追加して円滑な雪下ろし作業の継続が可能になるものである。又、滑落体３、の一端に該、滑落体３、と同幅の丸棒状の重錘８、を固着して常に滑走体３、を広い幅の状態を保持すると共に、操作腕５、により滑走体１、を屋根の上方に引上げて雪塊を滑落させた後に、滑走体１、を軒下まで下げる時に、軽い滑落体３、の一端が宙に浮く事で作業の進行に支障があるため、重錘８、を設けて作業の促進を図るものであり、殊に風のある日には効果的である。
【実施例】
【０００６】本案を実施するに当たっては、強固で軽量で雪の滑りやすいプラスチック製品が最適と考えたが、成形型が異常に高価であるため、最も低廉な鋼材となし、矩形状の薄い鋼板の両端を曲げて溝形状にした滑走体１、の両側板の前方を橇状の乗り上げ斜面１０、を設けた滑走体１、となし、滑走体１、の両側板の上方に中空のパイプを矩形状の補強枠２、として、固着し該、補強枠２、の先端に中央部に、管状の支持管６、を更に先端を向けて固着し、側部に補助枠１４、により、固着した支持管６、の内部に細長い中空の操作腕５、を挿入して止めピン１２、を支持管６、に挿入した操作腕５、の双方を止めピン１２、を挿入、固着して滑走体１、を操作可能となし、滑走体１、の一端に自在に折れ曲がるナイロン等を素材にして、滑走体１、と略、同幅で細長い矩形状の滑落帯３、の幅の両側に、水道や散水等で使用するビニールホースをボンドで固着した一端に、細長い丸棒状の重錘８、をボンドで固着すると共に、他端を滑走体１、の後端にゴム輪状のパンド１３、により、着脱を可能にした屋根の雪下ろし器具。
【発明の効果】
【０００７】従来のスコップで、屋根の上から地上まで雪を投げ下ろす屋根の雪下ろしの方法では、大変な重労働である事から、本発明は、屋根の傾斜と雪の自重により滑落させる方法で、構造的に改良する事により、疲労が少なく短時間で円滑に屋根の雪を下ろす事を可能にした器具であり、小形軽量であるため操作が容易である事と共に製造が容易であるため、製造経費が安価である等の効果がある。
【図面の簡単な説明】
【０００８】
【図１】雪下ろし器具の使用状況の略図である。
【図２】滑走帯のＡーＡの断面図である。
【図３】雪下ろし器具の組み立て平面図である。
【図４】雪下ろし器具の組み立て側面図である。
【０００９】符号の説明  １、滑走体        ２、補強枠          ３、滑落帯        ４、案内管  ５、操作腕        ６、支持管          ７、作業員        ８、重錘  ９、瓦          １０、乗り上げ斜面  １１、乗り上げ板  １２、止めピン１３、バンド      １４、補助枠        １５、積雪        １６。補助Ｌ材１７、雨樋        １８ピン孔
【図１】
2005273425.tif 000003
【図２】
2005273425.tif 000004
【図３】
2005273425.tif 000005
【図４】
2005273425.tif 000006